(57)【要約】      （修正有）【課題】通信電線のためのノイズ低減手段であるフェライトコアを、安価で容易に保持する構造を備えた加熱調理器を提供する。【解決手段】本体と、被加熱物を載置するトッププレートと、本体内でトッププレートの下方に設けられた加熱手段と、加熱手段の火力、加熱時間、メニューを入力する操作部と、加熱手段の火力、加熱時間、メニューを表示する表示部と、加熱手段と操作部と表示部を制御する制御部と、を備え、制御部を構成する基板４１の上あるいは下を信号用の通信電線７１が通過するようになっていて、通信電線には、通信電線が貫通可能な穴が設けられたノイズ低減手段であるフェライトコア７２が取り付けられ、基板とフェライトコアの間には、基板とフェライトコアを電気的に絶縁する絶縁部材５２が設けられ、絶縁部材には、フェライトコアの通信電線の貫通方向の移動を規制する規制部が設けられているものである。【選択図】図７
2019125514.tif 000002
【特許請求の範囲】
【請求項１】
本体と、
該本体を覆うように設けられた被加熱物を載置するトッププレートと、
前記本体内で前記トッププレートの下方に設けられた加熱手段と、
該加熱手段の火力、加熱時間、メニューを入力する操作部と、
前記加熱手段の火力、加熱時間、メニューを表示する表示部と、
前記加熱手段と前記操作部と前記表示部を制御する制御部と、を備え、
前記制御部を構成する基板の上あるいは下を信号用の通信電線が通過するようになっていて、
前記通信電線には、前記通信電線が貫通可能な穴が設けられたノイズ低減手段であるフェライトコアが取り付けられ、
前記基板と前記フェライトコアの間には、前記基板と前記フェライトコアを電気的に絶縁する絶縁部材が設けられ、該絶縁部材には、前記フェライトコアの前記通信電線の貫通方向の移動を規制する規制部が設けられている加熱調理器。
【請求項２】
前記基板を保持する基板保持手段を備え、
該基板保持手段は、前記基板の取り付け面に対して垂直方向の立壁を有し、
前記絶縁部材は薄いシート状であり、前記絶縁部材には前記立壁側の端部から内側に向かって第１の切り込みと第２の切り込みが設けられ、前記第１の切り込みと前記第２の切り込みの間にはフラップ部が設けられ、
前記フェライトコアは、前記第１の切り込みと前記第２の切り込みの間に前記通信電線の貫通方向で配置され、
前記フェライトコアが配置された状態では、前記絶縁部材の前記第１の切り込みと前記第２の切り込みの間の前記フラップ部が前記フェライトコアと接触し、前記フラップ部と反対側の前記第１の切り込みの端部と、前記フラップ部と反対側の前記第２の切り込みの端部との間で前記フェライトコアの前記通信電線の貫通方向の移動を規制する請求項１に記載の加熱調理器。
【請求項３】
前記基板を保持する基板保持手段を備え、
該基板保持手段は、前記基板の取り付け面に対して垂直方向の立壁を有し、
前記絶縁部材は薄いシート状であり、前記絶縁部材には前記立壁側の端部から内側に向かって第１の切り込みと第２の切り込みが設けられ、
前記第１の切り込みと前記第２の切り込みの間にはフラップ部が設けられ、
前記第１の切り込みの終点から前記フラップ部と反対側の前記絶縁部材の端部にかけて折り曲げ部が設けられ、
前記第２の切り込みの終点から前記フラップ部と反対側の前記絶縁部材の端部にかけて折り曲げ部が設けられ、
前記フェライトコアは、前記第１の切り込みと前記第２の切り込みの間に前記通信電線の貫通方向で配置され、
前記フェライトコアが配置された状態では、前記絶縁部材の前記第１の切り込みと前記第２の切り込みの間の前記フラップ部が前記フェライトコアと接触し、前記フラップ部と反対側の前記第１の切り込みの端部と、前記フラップ部と反対側の前記第２の切り込みの端部との間で前記フェライトコアの前記通信電線の貫通方向の移動を規制する請求項１に記載の加熱調理器。
【請求項４】
前記絶縁部材の前記フラップ部は、前記フェライトコアが配置された状態では、前記フェライトコア側に凸となるように湾曲している請求項２あるいは請求項３に記載の加熱調理器。
【請求項５】
前記第１の切り込みと前記第２の切り込みは、前記フェライトコアの前記通信電線貫通方向の長さ１つ分以上２つ分未満の長さの間隔で設けられている請求項２あるいは請求項３に記載の加熱調理器。
【請求項６】
前記フェライトコアは円筒状であり、前記フェライトコアの前記通信電線の貫通方向が長手方向である請求項１から請求項５の何れか１項に記載の加熱調理器。
【請求項７】
前記絶縁部材の前記フラップ部以外の前記立壁側の端部には、基板方向に折り曲げられた折り曲げ片が設けられている請求項１から請求項４の何れか１項に記載の加熱調理器。
【請求項８】
前記通信電線は複数の電線で構成されており、前記折り曲げ片の折り曲げ方向の長さは、前記通信電線を束ねたときの概略の直径よりも長い請求項７に記載の加熱調理器。
【請求項９】
前記本体内に送風手段を備え、
前記フェライトコアは、前記送風手段が発生させた前記本体内を流れる冷却風で、前記基板の近くを流れる前記冷却風の流れに沿う方向に配置されている請求項１から請求項５の何れか１項に記載の加熱調理器。
【発明の詳細な説明】
【技術分野】
【０００１】
本発明は、通信電線のノイズ軽減手段の保持構造を備えた加熱調理器に関する。
【背景技術】
【０００２】
従来から基板と基板の間を通信可能に接続するための電線のノイズ軽減手段として円筒状のフェライトコアを用い、そのフェライトコアを保持する構造（例えば、特許文献１参照）が開示されている。
【先行技術文献】
【特許文献】
【０００３】
【特許文献１】特開平５−２９９２５１号公報（第２頁、図１）
【発明の概要】
【発明が解決しようとする課題】
【０００４】
特許文献１に記載の従来の基板間を通信可能に接続する通信電線のためのノイズ低減手段である円筒状のフェライトコアを保持する構造は、フェライトコアの貫通穴に通信電線を通した後、ゴムのピンを挿入して保持するようになっている。
【０００５】
しかし、特許文献１に記載の従来の円筒状のフェライトコアを保持する構造では、長さがある通信電線の、どの位置にあっても固定が可能であるため、決められた位置に固定することが困難であり、位置を定める冶具などで位置を決めてから取付け作業を行う必要があり、取付け作業に時間が掛かるという課題があった。
また、ゴムのピンのような別部品が必要であるため、余計なコストが掛かるという課題があった。
【０００６】
本発明は、上記課題に鑑みてなされたものであり、通信電線のためのノイズ低減手段であるフェライトコアを、安価で容易に保持する構造を備えた加熱調理器を提供することを目的とする。
【課題を解決するための手段】
【０００７】
課題を解決する本発明の加熱調理器は、本体と、本体を覆うように設けられた被加熱物を載置するトッププレートと、本体内でトッププレートの下方に設けられた加熱手段と、加熱手段の火力、加熱時間、メニューを入力する操作部と、加熱手段の火力、加熱時間、メニューを表示する表示部と、加熱手段と操作部と表示部を制御する制御部と、を備え、制御部を構成する基板の上あるいは下を信号用の通信電線が通過するようになっていて、通信電線には、通信電線が貫通可能な穴が設けられたノイズ低減手段であるフェライトコアが取り付けられ、基板とフェライトコアの間には、基板とフェライトコアを電気的に絶縁する絶縁部材が設けられ、絶縁部材には、フェライトコアの通信電線の貫通方向の移動を規制する規制部が設けられているものである。
【発明の効果】
【０００８】
本発明によれば、通信電線には通信電線が貫通可能に形成されたノイズ低減手段であるフェライトコアが取り付けられ、基板とフェライトコアの間には、基板とフェライトコアを電気的に絶縁する絶縁部材が設けられ、その絶縁部材にフェライトコアの移動を制限する保持部の機能を持たせたので、特に固定用の部品を用いる必要がなく、安価で容易にフェライトコアの移動を規制して、決められた位置に保持することができる。
【図面の簡単な説明】
【０００９】
【図１】本発明の実施の形態１に係る加熱調理器の構成を示す天板を外した状態の斜視図である。
【図２】本発明の実施の形態１に係る加熱調理器の側面方向から見た断面図である。
【図３】本発明の実施の形態１に係る加熱調理器の操作及び表示部を上方から見た図である。
【図４】本発明の実施の形態１に係る加熱調理器の操作及び表示部を裏側から見た図である。
【図５】本発明の実施の形態１に係る加熱調理器の操作及び表示部を裏側の後方側から見た斜視図である。
【図６】本発明の実施の形態１に係る加熱調理器の操作及び表示部を裏側から見た図（図４）に示す切断線Ａ−Ａで切断した箇所の模式図である。
【図７】本発明の実施の形態１に係る加熱調理器の操作及び表示部を裏側から見た図（図４）に示す切断線Ｂ−Ｂで切断した箇所の模式図である。
【図８】本発明の実施の形態２に係る加熱調理器の操作及び表示部を裏側から見た図である。
【図９】本発明の実施の形態２に係る加熱調理器の操作及び表示部を裏側から見た図（図８）に示す切断線Ｄ−Ｄで切断した箇所の模式図である。
【図１０】本発明の実施の形態２に係る加熱調理器の操作及び表示部を裏側から見た図（図８）に示す切断線Ｅ−Ｅで切断した箇所の模式図である。
【発明を実施するための形態】
【００１０】
実施の形態１
（全体の構成）
図１は本発明の実施の形態１に係る加熱調理器の構成を示す天板を外した状態の斜視図、図２は本発明の実施の形態１に係る加熱調理器の側面方向から見た断面図である。
【００１１】
以下、図１と図２により本発明の実施の形態１の加熱調理器の構成を説明する。
なお、それぞれの図において、同じ部分または相当する部分には同じ符号を付し、一部の説明を省略する場合がある。
【００１２】
図１に示すように、本発明の実施の形態１の加熱調理器１００は、上面が開口した本体１と、その本体１の開口した上面を覆う、鍋等の調理容器である被調理物を載置可能な非磁性体、セラミックやガラスからなるトッププレート３と、その外周に図示しないシリコン系接着剤等で固着された金属、例えばステンレスで構成された枠体４で構成された天板２を備えている。
【００１３】
トッププレート３下方の本体１内には、図１に示すように左加熱手段５、右加熱手段６、中央加熱手段７が設けられている。左加熱手段５、右加熱手段６は誘導加熱コイルからなる誘導加熱手段であり、中央加熱手段７は、例えばラジエントヒーターのような電熱線からなる輻射式加熱手段である。このように加熱手段が３つ設けられたものは３口タイプの加熱調理器と呼ばれるものである。
【００１４】
トッププレート３には、図１に示すようにそれぞれの加熱手段に対応する被加熱物載置部が設けられている。詳しくは、被加熱物載置部３ａは左加熱手段５を使用して加熱するときに被加熱物を載置する範囲として、被加熱物載置部３ｂは右加熱手段６を使用して加熱するときに被加熱物を載置する範囲として、被加熱物載置部３ｃは中央加熱手段７を使用して加熱するときに被加熱物を載置する範囲として、印刷などで表示されている。
【００１５】
なお、３口タイプ加熱調理器の加熱手段の組合せは前述した組合せに限られるものではなく、３口とも誘導加熱手段で構成してもよく、適宜選択可能である。
【００１６】
本体１の前面には、加熱調理器の電源を入り切りする電源スイッチ８を備えている。本体１は図示しないが、魚等の被調理物をその内部に載置してグリル調理やオーブン調理をする調理庫を備えている。調理庫は前面が開口していて、調理庫の前面開口には、開口を閉塞するための調理庫扉９が前方に引き出し自在に設けられている。
なお、本発明の実施の形態１の加熱調理器では調理庫を備えているものとして説明したが、調理庫を備えず、その空間を収納庫として使用してもよく、その場合、調理庫扉９は収納庫扉となる。調理庫を備えるか収納庫を備えるかは適宜選択可能である。
【００１７】
本体１内の左加熱手段５の下方には、図２に示すように誘導加熱手段である左加熱手段５、右加熱手段６に電力を供給するインバーター基板２１と、輻射式加熱手段である中央加熱手段７に電力を供給する電源基板２２が設けられている。
【００１８】
本体１内の後方には、本体１内で高温となる基板や加熱手段などを冷却するための空気を送風する送風手段３１が設けられている。送風手段３１は電動機３１ａと送風ファン３１ｂで構成されている。
【００１９】
送風手段３１は、本体１後面の図示しない吸気口から本体１外の空気を吸い込み、本体１内に送風、その空気はインバーター基板２１、電源基板２２、左加熱手段５、右加熱手段６などを順次冷却して、本体１後方に設けられた排気口１ａに送られ、天板２の後方に載置された排気口カバー２ａを通り本体１外へ排出される。
【００２０】
（操作及び表示部の構成）
本体１の前方でトッププレート３の下方には、図１に示すように操作及び表示部１０が設けられている。操作及び表示部１０について、図３、図４及び図５を用いて詳しく説明する。図３は本発明の実施の形態１に係る加熱調理器の操作及び表示部を上方から見た図、図４は本発明の実施の形態１に係る加熱調理器の操作及び表示部を裏側から見た図、図５は本発明の実施の形態１に係る加熱調理器の操作及び表示部を裏側の後方側から見た斜視図である。
【００２１】
操作及び表示部１０は、図３及び図４に示すように操作基板４１、操作基板４２、第１の制御基板４３、第２の制御基板４４、センサー類接続基板４５を備える。
【００２２】
図３に示すように操作基板４１には複数の静電容量式タッチスイッチの電極４１ａが設けられており、静電容量式タッチスイッチを制御するＩＣを搭載した静電容量式タッチスイッチ制御基板４６を介し、通信電線７１で第１の制御基板４３と接続されている。
【００２３】
操作基板４１と静電容量式タッチスイッチ制御基板４６は電線で接続されておらず、図６、図７に示すように操作基板４１に設けられた基板コネクタ４１ｂと静電容量式タッチスイッチ制御基板４６に設けられた基板コネクタ４６ｂで接続されている。
【００２４】
操作基板４２には複数の静電容量式タッチスイッチの電極４２ａが設けられており、静電容量式タッチスイッチを制御するＩＣを搭載した静電容量式タッチスイッチ制御基板４７を介し、図示しない通信電線で第１の制御基板４３と接続されている。
【００２５】
操作基板４２と静電容量式タッチスイッチ制御基板４７も電線で接続されておらず、操作基板４１に設けられた図示しない基板コネクタと静電容量式タッチスイッチ制御基板４６に設けられた図示しない基板コネクタで接続されている。
【００２６】
図３から図５に示すように操作基板４１、操作基板４２、静電容量式タッチスイッチ制御基板４６、静電容量式タッチスイッチ制御基板４７、第１の制御基板４３、第２の制御基板４４は基板保持手段である基板ホルダー５１に取り付けられて保持される。なお、センサー類接続基板４５は基板ホルダー５１ではなく他の図示しない保持部材に保持されているが、説明の便宜上、図３から図５に表している。
【００２７】
トッププレート３の前方には、図１に示す入力部３ｄに図示しない操作キー類が、印刷で表示するなどして設けられていて、その操作キーをタッチするとトッププレート３越しに操作基板４１の静電容量式タッチスイッチの電極４１ａと操作基板４２の静電容量式タッチスイッチの電極４２ａが静電容量の変化を捉え、入力を行う。
【００２８】
第１の制御基板４３の上面側、言い換えるとトッププレート３の裏面と対向する面側には、右表示手段１２、中央表示手段１３、右火力表示用ＬＥＤ群１５、中央火力表示用ＬＥＤ群１６が設けられている。第２の制御基板４４の上面側、言い換えるとトッププレート３の裏面と対向する面側には、左表示手段１１、左火力表示用ＬＥＤ群１４が設けられている。
【００２９】
左表示手段１１は、左加熱手段５の設定温度、設定時間等を表示するものである。右表示手段１２は、左加熱手段６の設定温度、設定時間等を表示するものである。中央表示手段１３は、中央加熱手段７の設定温度、設定時間と、調理庫の調理メニュー、設定時間や、全体の注意情報などを統合的に表示するものである。
【００３０】
左火力表示用ＬＥＤ群１４は、左加熱手段５の火力を、火力の大きさに応じてＬＥＤの発光数で表示するものである。右火力表示用ＬＥＤ群１５は、右加熱手段６の火力を、火力の大きさに応じてＬＥＤの発光数で表示するものである。中央火力表示用ＬＥＤ群１６は、中央加熱手段７の火力、あるいは調理庫の火力を、火力の大きさに応じてＬＥＤの発光数で表示するものである。
【００３１】
左表示手段１１の表示内容は、図１に示すトッププレート３に設けられた透明の左表示窓３ｅを透過し使用者に視認できるようになっている。同様に、右表示手段１２の表示内容は、図１に示すトッププレート３に設けられた透明の右表示窓３ｆ、中央表示手段１３の表示内容は、図１に示すトッププレート３に設けられた透明の中央表示窓３ｇを透過し、それぞれ使用者に視認できるようになっている。
【００３２】
左火力表示用ＬＥＤ群１４、右火力表示用ＬＥＤ群１５、中央火力表示用ＬＥＤ群１６も、その発光がそれぞれトッププレート３を透過して使用者に視認できるようになっている。
【００３３】
第１の制御基板４３には、図示しないが、本発明の実施の形態１の加熱調理器１００の全体を制御する指令を行うマイコンである制御手段が搭載されている。また、第１の制御基板４３には、図示しないが、制御手段の指令により右表示手段１２を表示する右表示手段用ドライバーＩＣ、中央表示手段１３を表示する中央表示手段ドライバーＩＣ、右火力表示用ＬＥＤ群１５と中央火力表示用ＬＥＤ群１６の発光を行わせる右中央ＬＥＤドライバーＩＣなども搭載されている。
【００３４】
第２の制御基板４４には、図示しないが、第１の制御基板４３に搭載された制御手段の指令により左表示手段１１を表示する左表示手段用ドライバーＩＣ、左火力表示用ＬＥＤ群１４の発光を行わせる左ＬＥＤドライバーＩＣなどが搭載されている。各ドライバーの通信方式はＩ２Ｃ（Inter-Integrated Circuit）通信であり、通信のクロック周波数は１００ｋＨｚである。
【００３５】
第１の制御基板４３と第２の制御基板４４は、図示しないフラットケーブルで通信可能に接続されている。第１の制御基板４３の制御手段と第２の制御基板４４のドライバーＩＣなどとの指令、応答の信号のやり取りを、フラットケーブルを介して行っている。送風手段３１が送風する冷却風が図４、図５の矢印Ｃで示す、第１の制御基板４３から第２の制御基板４４の方向に流れて、第１の制御基板４３や第２の制御基板４４、その他周辺の基板を冷却している。
【００３６】
センサー類接続基板４５には、左加熱手段５や右加熱手段６にそれぞれ設けられる、トッププレート３を介して被加熱物の温度を検知する図示しない接触式の温度センサー、トッププレート３越しに被加熱物の赤外線を検知する非接触式の温度センサー、図示しない調理庫内の温度を検知する温度センサーなど、各種センサー類の接続端子類４５ｂが設けられている。
【００３７】
第１の制御基板４３とセンサー類接続基板４５は図３に示すように、フラットケーブル６３で通信可能に接続されている。第１の制御基板４３の制御手段への各種センサー類の検知情報の信号送信を、フラットケーブル６３を介して行っている。
【００３８】
制御手段を搭載した第１の制御基板４３、第１の制御基板４３と図示しないフラットケーブルで通信可能に接続された第２の制御基板４４、第１の制御基板４３とフラットケーブル６３で通信可能に接続されたセンサー類接続基板４５が本発明の実施の形態１の加熱調理器の制御を司っており、本発明の実施の形態１の制御部である。
【００３９】
第１の制御基板４３と静電容量式タッチスイッチ制御基板４６は図５に示すように、第１の制御基板４３の電線接続端子４３ａと静電容量式タッチスイッチ制御基板４６の電線接続端子４６ａに接続された通信電線７１で接続されており、通信電線７１にはフェライトコア７２が取り付けられている。
【００４０】
フェライトコア７２は通信電線７１から発生するノイズや、他の部品、例えば、誘導加熱手段である左加熱手段５、右加熱手段６から受けるノイズを低減するためのものである。このようなノイズは、ノイズを受けた電子部品などを発熱させたり、他の機器に不具合を生じさせたりする。
【００４１】
通信電線７１は複数の電線で構成されており、複数の電線をまとめて接続できる端子を両端に備えている。
【００４２】
第１の制御基板４３と静電容量式タッチスイッチ制御基板４６を接続する通信電線７１に取り付けられたフェライトコア７２の取り付け形態について図４、図５に加え図６、図７を用いて詳しく説明する。図６は本発明の実施の形態１に係る加熱調理器の操作及び表示部を裏側から見た図（図４）に示す切断線Ａ−Ａで切断した箇所の模式図、図７は本発明の実施の形態１に係る加熱調理器の操作及び表示部を裏側から見た図（図４）に示す切断線Ｂ−Ｂで切断した箇所の模式図である。
【００４３】
フェライトコア７２は円筒状で、長手方向に通信電線７１が貫通可能な穴が設けられていて、フェライトコア７２はその穴に通信電線７１を通過させて取り付けられている。フェライトコア７２が取り付けられている電線７１は前述のように第１の制御基板４３と静電容量式タッチスイッチ制御基板４６を接続するものであるが、フェライトコア７２は第１の制御基板４３と図示しないフラットケーブルで通信可能に接続された第２の制御基板４４の近くに配置されている。
【００４４】
フェライトコア７２と第２の制御基板４４との間には、磁性体で導電体でもあるフェライトコア７２と第２の制御基板４４との絶縁のための絶縁部材５２が取り付けられている。絶縁部材５２は可撓性のあるシート状で、例えばポリ塩化ビニルやポリカーボネートのような素材で形成されている。絶縁部材５２には、図４に示すように第１の切り込み５２ａと第２の切り込み５２ｂの２つの切り込みが設けられている。
【００４５】
図４に示すようにフェライトコア７２は第１の切り込み５２ａと第２の切り込み５２ｂの間に配置されている。図４に示すようにフェライトコア７２と重なる位置の絶縁部材５２にはフラップ部５２ｃが設けられている。
【００４６】
フラップ部５２ｃは図６、図７に示すようにフェライトコア７２と第２の制御基板４４の間に入り込み、フェライトコア７２側に凸となるように緩やかに湾曲している。このように湾曲していることで絶縁部材５２のフラップ部５２ｃにはバネ性が生じ、フェライトコア７２を基板保持手段である基板ホルダー５１の立壁５１ａ側に押し付けるようにすることができ、通信電線７１の貫通方向ではないフェライトコア７２の短手方向の動きを規制している。
【００４７】
第１の切り込み５２ａのフラップ部５２ｃと反対側の端部は図６に示すように、フェライトコア７２の長手方向の端部と重なる位置にくるようになっている。第２の切り込み５２ｂのフラップ部５２ｃと反対側の端部も図７に示すように、フェライトコア７２の長手方向の端部と重なる位置にくるようになっている。
【００４８】
このように、第１の切り込み５２ａのフラップ部５２ｃと反対側の端部と第２の切り込み５２ｂのフラップ部５２ｃと反対側の端部がフェライトコア７２の長手方向の端部と重なる位置にくるので、この第１の切り込み５２ａのフラップ部５２ｃと反対側の端部と第２の切り込み５２ｂのフラップ部５２ｃと反対側の端部により、第１の切り込み５２ａと第２の切り込み５２ｂの間に配置されているフェライトコア７２の長手方向の動きを規制することができ、フェライトコア７２を決められた位置に保持することができる。
【００４９】
つまり、第１の切り込み５２ａと第２の切り込み５２ｂの間、さらに言うと第１の切り込み５２ａのフラップ部５２ｃと反対側の端部と第２の切り込み５２ｂのフラップ部５２ｃと反対側の端部の間が、フェライトコア７２の規制部である。
【００５０】
なお、本発明の実施の形態１では、図４に示すように第１の切り込み５２ａと第２の切り込み５２ｂの間の長さＬ１は、フェライトコア７２の長手方向の長さ、言い換えると通信電線７１が貫通する方向の長さＬ２よりも長くなるようにしたもので説明したが、フェライトコア７２の長手方向の動きを規制するのであればＬ１とＬ２が同じ、言い換えると第１の切り込み５２ａと第２の切り込み５２ｂの間の長さはフェライトコア７２の長手方向の長さ１つ分と同じ長さでもよい。
【００５１】
また、フェライトコア７２の長手方向の動きを規制するということで、Ｌ１の長さを必要以上に長くすることは好ましくない。よって、Ｌ１の長さはＬ２の長さの２倍未満、言い換えると第１の切り込み５２ａと第２の切り込み５２ｂの間の長さはフェライトコア７２の長手方向の長さ２つ分未満の長さであることが望ましい。
【００５２】
上述の構成でフェライトコア７２は図４に示す位置、方向で保持され移動が規制されているので、フェライトコア７２は前述した図４及び図５の矢印Ｃで示される送風手段３１が送風する冷却風の流れに沿う方向で保持され移動が規制されており、冷却風の流れを妨げることがない。
【００５３】
絶縁部材５２のフラップ部５２ｃ以外の基板ホルダー５１の立壁５１ａ側の端部には、図６に示す第２の制御基板４４方向に折り曲げられた折り曲げ片５２ｅ、図７に示す第２の制御基板４４方向に折り曲げられた折り曲げ片５２ｄが設けられている。
【００５４】
折り曲げ片５２ｄ、折り曲げ片５２ｅを設けることで、通信電線７１が立壁５１ａ側に寄ったり、絶縁部材５２の第２の制御基板４４と対向する面の裏面側に移動してしまったりする動きを抑えることができる。
【００５５】
なお、折り曲げ片５２ｄ、折り曲げ片５２ｅの第２の制御基板４４方向への長さは、複数の電線で構成されている通信電線７１の、それら複数の電線を束ねた概略の直径よりも長くすることが望ましい。そうすることで通信電線７１が立壁５１ａ側に寄ったり、絶縁部材５２第２の制御基板４４と対向する面の裏面側に移動してしまったりする動きを抑える効果を高めることができる。
【００５６】
実施の形態２
本発明の実施の形態２に係る加熱調理器は、本発明の実施の形態１に係る加熱調理器と絶縁部材の形状が一部異なる。その他の構成は本発明の実施の形態１に係る加熱調理器と同様の構成であるので、絶縁部材の形状に関係する内容につき図８から図１０を用いて説明し、それ以外の説明は省略する。
【００５７】
図８は本発明の実施の形態２に係る加熱調理器の操作及び表示部を裏側から見た図、図９は本発明の実施の形態２に係る加熱調理器の操作及び表示部を裏側から見た図（図８）に示す切断線Ｄ−Ｄで切断した箇所の模式図、図１０は本発明の実施の形態２に係る加熱調理器の操作及び表示部を裏側から見た図（図８）に示す切断線Ｅ−Ｅで切断した箇所の模式図である。
【００５８】
フェライトコア７２は本発明の実施の形態１に係る加熱調理器と同様に円筒状で、長手方向に通信電線７１が貫通可能な穴が設けられていて、フェライトコア７２はその穴に通信電線７１を通過させて取り付けられている。
【００５９】
フェライトコア７２が取り付けられている電線７１は本発明の実施の形態１に係る加熱調理器と同様に第１の制御基板４３と静電容量式タッチスイッチ制御基板４６を接続するものであるが、フェライトコア７２は第１の制御基板４３と図示しないフラットケーブルで通信可能に接続された第２の制御基板４４の近くに配置されている。
【００６０】
フェライトコア７２と第２の制御基板４４との間には、磁性体で導電体でもあるフェライトコア７２と第２の制御基板４４との絶縁のための絶縁部材８２が取り付けられている。絶縁部材８２は可撓性のあるシート状で、例えばポリ塩化ビニルやポリカーボネートのような素材で形成されている。絶縁部材８２には、図８に示すように第１の切り込み８２ａと第２の切り込み８２ｂの２つの切り込みが設けられている。
【００６１】
図８に示すようにフェライトコア７２は第１の切り込み８２ａと第２の切り込み８２ｂの間に配置されている。図８に示すようにフェライトコア７２と重なる位置の絶縁部材８２にはフラップ部８２ｃが設けられている。
【００６２】
フラップ部８２ｃは図９、図１０に示すようにフェライトコア７２と第２の制御基板４４の間に入り込み、フェライトコア７２側に凸となるように緩やかに湾曲している。このように湾曲していることで絶縁部材８２のフラップ部８２ｃにはバネ性が生じ、フェライトコア７２を基板保持手段である基板ホルダー５１の立壁５１ａ側に押し付けるようにすることができ、通信電線７１の貫通方向ではないフェライトコア７２の短手方向の動きを規制している。
【００６３】
第１の切り込み８２ａのフラップ部８２ｃと反対側の端部は図９に示すように、フェライトコア７２の長手方向の端部と重なる位置にくるようになっている。第２の切り込み８２ｂのフラップ部８２ｃと反対側の端部も図１０に示すように、フェライトコア７２の長手方向の端部と重なる位置にくるようになっている。
【００６４】
このように、第１の切り込み８２ａのフラップ部８２ｃと反対側の端部と第２の切り込み８２ｂのフラップ部８２ｃと反対側の端部がフェライトコア７２の長手方向の端部と重なる位置にくるので、この第１の切り込み８２ａのフラップ部８２ｃと反対側の端部と第２の切り込み８２ｂのフラップ部８２ｃと反対側の端部により、第１の切り込み８２ａと第２の切り込み８２ｂの間に配置されているフェライトコア７２の長手方向の動きを規制することができ、フェライトコア７２を決められた位置に保持することができる。
【００６５】
つまり、第１の切り込み８２ａと第２の切り込み８２ｂの間、さらに言うと第１の切り込み８２ａのフラップ部８２ｃと反対側の端部と第２の切り込み８２ｂのフラップ部８２ｃと反対側の端部の間が、フェライトコア７２の規制部である。
【００６６】
なお、本発明の実施の形態２では本発明の実施の形態１と同様、図８に示すように第１の切り込み８２ａと第２の切り込み８２ｂの間の長さＬ１は、フェライトコア７２の長手方向の長さ、言い換えると通信電線７１が貫通する方向の長さＬ２よりも長くなるようにしたもので説明したが、フェライトコア７２の長手方向の動きを規制するのであればＬ１とＬ２が同じ、言い換えると第１の切り込み８２ａと第２の切り込み８２ｂの間の長さはフェライトコア７２の長手方向の長さ１つ分と同じ長さでもよい。
【００６７】
また、フェライトコア７２の長手方向の動きを規制するということで、Ｌ１の長さを必要以上に長くすることは好ましくない。よって、Ｌ１の長さはＬ２の長さの２倍未満、言い換えると第１の切り込み８２ａと第２の切り込み８２ｂの間の長さはフェライトコア７２の長手方向の長さ２つ分未満の長さであることが望ましい。
【００６８】
上述の構成でフェライトコア７２は図８に示す位置、方向で保持され移動が規制されているので、フェライトコア７２は前述した図８の矢印Ｆで示される送風手段３１が送風する冷却風の流れに沿う方向で保持され移動が規制されており、冷却風の流れを妨げることがない。
【００６９】
絶縁部材８２のフラップ部８２ｃ以外の基板ホルダー５１の立壁５１ａ側の端部には、図９に示す第２の制御基板４４方向に折り曲げられた折り曲げ片８２ｅ、図１０に示す第２の制御基板４４方向に折り曲げられた折り曲げ片８２ｄが設けられている。
【００７０】
折り曲げ片８２ｄ、折り曲げ片８２ｅを設けることで、通信電線７１が立壁５１ａ側に寄ったり、絶縁部材８２の第２の制御基板４４と対向する面の裏面側に移動してしまったりする動きを抑えることができる。
【００７１】
折り曲げ片８２ｄ、折り曲げ片８２ｅの第２の制御基板４４方向への長さは、複数の電線で構成されている通信電線７１の、それら複数の電線を束ねた概略の直径よりも長くすることが望ましい。そうすることで通信電線７１が立壁５１ａ側に寄ったり、絶縁部材８２の第２の制御基板４４と対向する面の裏面側に移動してしまったりする動きを抑える効果を高めることができる。
【００７２】
また、絶縁部材８２には、図８に示すように、第１の切り込み８２ａが終わる第１の切り込みの終点８２ｆから、フラップ部８２ｃとは反対側の端部に向かって折り曲げ部８２ｈが、第２の切り込み８２ｂが終わる第２の切り込みの終点８２ｇから、フラップ部８２ｃとは反対側の端部に向かって折り曲げ部８２ｊがそれぞれ設けられている。
【００７３】
図９に示すように、絶縁部材８２は折り曲げ部８２ｈから基板ホルダー５１の立壁５１ａ側の端部は第２の制御基板４４から離れる方向に折り曲げられている。同様に図１０に示すように、絶縁部材８２は折り曲げ部８２ｊから基板ホルダー５１の立壁５１ａ側の端部は第２の制御基板４４から離れる方向に折り曲げられている。
【００７４】
絶縁部材８２が上述のように折り曲げられていることで、通信電線７１を構成する電線の本数が増えて、それらを束ねた通信電線７１の概略の直径が太くなっても絶縁部材８２全体がその影響を受けることなく、折り曲げ部８２ｈ及び折り曲げ部８２ｊから基板ホルダー５１の立壁５１ａ側の端部までが通信電線７１の概略の直径に合わせて動けるようになるので、通信電線７１の概略の直径の増加につれてフラップ部８２ｃが第２の制御基板４４から離れる方向への動くことを抑制できる。これによりフェライトコア７２の保持位置の変動を抑制できる。
【符号の説明】
【００７５】
１  本体、１ａ  排気口、２  天板、２ａ  排気口カバー、３  トッププレート、３ａ  被加熱物載置部、３ｂ  被加熱物載置部、３ｃ  被加熱物載置部、３ｄ  入力部、３ｅ  左表示窓、３ｆ  右表示窓、３ｇ  中央表示窓、４  枠体、５  左加熱手段、６  右加熱手段、７  中央加熱手段、８  電源スイッチ、９  調理庫扉、１０  操作及び表示部、１１  左表示手段、１２  右表示手段、１３  中央表示手段、１４  左火力表示用ＬＥＤ群、１５  右火力表示用ＬＥＤ群、１６  中央火力表示用ＬＥＤ群、２１  インバーター基板、２２  電源基板、３１  送風手段、３１ａ  電動機、３１ｂ  送風ファン、４１  操作基板、４１ａ  静電容量タッチスイッチ式電極、４１ｂ  基板コネクタ、４２  操作基板、４２ａ  静電容量式タッチスイッチ電極、４３  第１の制御基板、４３ａ  電線接続端子、４３ｂ  フラットケーブル接続端子、４４  第２の制御基板、４５  センサー類接続基板、４５ａ  フラットケーブル接続端子、４５ｂ  接続端子類、４６  静電容量式タッチスイッチ制御基板、４６ａ  電線接続端子、４６ｂ  基板コネクタ、４７  静電容量式タッチスイッチ制御基板、５１  基板ホルダー（基板保持手段）、５１ａ  立壁、５２  絶縁部材、５２ａ  第１の切り込み、５２ｂ  第２の切り込み、５２ｃ  フラップ部、５２ｄ  折り曲げ片、５２ｅ  折り曲げ片、６２  フェライトコア、６３  フラットケーブル、７１  通信電線、７２  フェライトコア、８２  絶縁部材、８２ａ  第１の切り込み、８２ｂ  第２の切り込み、８２ｃ  フラップ部、８２ｄ  折り曲げ片、８２ｅ  折り曲げ片、８２ｆ  第１の切り込みの終点、８２ｇ  第２の切り込みの終点、８２ｈ  折り曲げ部、８２ｊ  折り曲げ部、１００  加熱調理器。
【図１】
2019125514.tif 000003
【図２】
2019125514.tif 000004
【図３】
2019125514.tif 000005
【図４】
2019125514.tif 000006
【図５】
2019125514.tif 000007
【図６】
2019125514.tif 000008
【図７】
2019125514.tif 000009
【図８】
2019125514.tif 000010
【図９】
2019125514.tif 000011
【図１０】
2019125514.tif 000012